(57)【要約】【課題】収納性や使用性、長期保管の安定性、及び美観に優れ、折り畳むことも可能な、弁当ケースとしても使用できる、製造適性にも優れた、安価な木製容器を提供する。【解決手段】少なくとも、一枚の薄板からなる容器本体を含む、折りたたみ可能な木製容器。前記容器本体が、少なくとも、容器底部と、２つの第１の側辺部、及び２つの第２の側辺部とを有し、前記２つの第１の側辺部が、前記容器底部の両側に対称的に配置され、少なくとも１つの接合部及び少なくとも１つの斜め折り畳み部をそれぞれ有するか、少なくとも１つの接合部または少なくとも１つの斜め折り畳み部をそれぞれ有する。前記２つの第２の側辺部は、前記容器底部の他の両側に対称的に配置され、少なくとも１つの接合部及び少なくとも１つの斜め折り畳み部をそれぞれ有するか、少なくとも１つの接合部または少なくとも１つの斜め折り畳み部をそれぞれ有する。【選択図】図１
0003204496.tif 000002
【実用新案登録請求の範囲】
【請求項１】
少なくとも、一枚の薄板からなる容器本体を含む木製容器であって、該容器本体が、少なくとも、容器底部と、２つの第１の側辺部、及び２つの第２の側辺部とを有し、前記２つの第１の側辺部が、前記容器底部の両側に対称的に配置され、且つ少なくとも１つの接合部及び少なくとも１つの斜め折り畳み部をそれぞれ有するか、或いは、少なくとも１つの接合部または少なくとも１つの斜め折り畳み部をそれぞれ有すると共に、前記２つの第２の側辺部が、前記容器底部の他の両側に対称的に配置され、且つ、少なくとも１つの接合部及び少なくとも１つの斜め折り畳み部をそれぞれ有するか、或いは、少なくとも１つの接合部または少なくとも１つの斜め折り畳み部をそれぞれ有することを特徴とする木製容器。
【請求項２】
前記2つの第１の側辺部のうち、少なくとも１つが、さらに、側辺本体部と側辺補助部とに区画されると共に、前記側辺本体部と前記側辺補助部が折り畳んで重なり合うことが可能である、請求項１記載された木製容器。
【請求項３】
前記２つの第２の側辺部のうち、少なくとも１つが、さらに、折り畳み可能な側辺本体部と、折り畳み可能な側辺補助部とに区画されると共に、前記側辺本体部と前記側辺補助部が、折り畳んだ後重なり合うことが可能である、請求項１又は２に記載された木製容器。
【請求項４】
前記容器本体が、容器蓋部をさらに含む請求項１〜３の何れかに記載された木製容器。
【請求項５】
前記容器本体が、さらに、２つの第３の側辺部を含むと共に、該２つの第３の側辺部が、前記容器蓋部の両側に対称的に配置されている、請求項４に記載された木製容器。
【請求項６】
前記容器本体が、さらに、第４の側辺部を含むと共に、該第４の側辺部が前記容器蓋部の他側に配置されている、請求項４に記載された木製容器。
【請求項７】
前記容器本体が、さらに、２つの第３の側辺部と、第４の側辺部とを含むと共に、前記２つの第３の側辺部が、前記容器蓋部の両側に対称的に配置され、前記第４の側辺部が、前記容器蓋部の他側に配置され、前記容器本体における前記第３の側辺部と前記第４の側辺部との間に、少なくとも１つの接合部と少なくとも１つの斜め折り畳み部とをさらに有するか、或いは、少なくとも１つの接合部または少なくとも１つの斜め折り畳み部を有する、請求項４〜６の何れかに記載された木製容器。
【請求項８】
前記斜め折り畳み部が、前記第３の側辺部及び前記第４の側辺部のうち一方に配置され、前記接合部が、前記斜め折り畳み部に接続されるか、或いは前記第３の側辺部と前記第４の側辺部とのうち他方に接続される、請求項７に記載された木製容器。
【請求項９】
前記木製容器が、さらに、前記一枚の薄板の少なくとも一面に結合されたフィルム層を含む、請求項１〜８のいずれかに記載された木製容器。
【請求項１０】
前記フィルム層が、用紙、プラスチック材及びアルミ箔から選択された少なくとも一種のフィルム層である、請求項９に記載された木製容器。
【考案の詳細な説明】
【技術分野】
【０００１】
本考案は木製容器に関し、特に、木材薄板、木製単板、又は木製板等を１枚だけ使用することにより製作が可能な、木製容器に関する。
【背景技術】
【０００２】
木製容器は、この１０数年乃至２０年に渡り、食品容器としてますます広く使われるようになってきた。このことは、環境保護、食品の安全や美しさなどの観点から、木製容器を選択・使用するユーザーの数が一層多くなってきた結果であり、台湾と日本を中心としたアジア諸国の容器製造商売市場において、徐々に他の素材を用いて製作する容器に取って代わる傾向を示している。
【０００３】
木製容器の一例として木製弁当ケースの使用状況を説明してみれば、台湾地域で著名な、池上弁当株式会社及び台湾鉄道弁当株式会社の両社により使用される木製弁当ケースの総個数は、平均、毎月１０００万個以上にも達した。この事実から、木材から製造した容器、特に弁当ケースとして使用される木製容器は、実用性及び信頼性に優れたものであると言っても決して過言ではない。
【０００４】
但し、弁当ケースとして使用される木製容器は、一般に、直角矩形状の外形輪郭を呈し、重なり合うことができない構造を持つため、保管空間が大きくなるだけでなく運送が困難になり、コストが増加するなどの問題点がある。
【０００５】
かかる問題点を改善するため、池上弁当株式会社によって、弁当ケースとして使用できる、シートを貼付してなる、直角矩形状の外形輪郭を呈した折り畳み可能な木製容器（以下、「池上弁当ケース」と略称する）が開発された。なお、台湾鉄道弁当株式会社によっても、弁当ケースとして使用できる、シートを貼付してなる、斜角状の外形輪郭を呈した重なり合いが可能な木製容器（以下、「台湾鉄道弁当ケース」と略称する）が開発された。
【０００６】
しかしながら、弁当ケースとして使用される木製容器は、池上弁当ケースにしろ、台湾鉄道弁当ケースにしろ、保管空間または運送コストを、ある程度まで低減することを可能にしたとは言えるが、収納や使用上の便利性、長期保管の安定性及び美観などの点についてはいずれも満足できるものではなく、若干の問題点が残っている。このため、従来の問題点を更に改善すると共に、折り畳むことができる、弁当ケースとして使用される木製容器を開発することが望まれている。
【考案の概要】
【考案が解決しようとする課題】
【０００７】
したがって本考案の目的は、従来市販され使用されている木製容器の欠点をなくすと共に、該容器の生産に使用する原料の量の削減、使用操作上の簡便性、及び生産コストの低減を図り、収納や使用上の利便性、長期保管の安定性、及び美観に優れ、折り畳むことも可能な、弁当ケースとして使用できる新規な木製容器を提供することにある。
【課題を解決するための手段】
【０００８】
即ち、本考案に係る実施形態の一つは、少なくとも、一枚の薄板からなる容器本体を含むことを特徴とする木製容器である。該容器本体は、少なくとも容器底部と、２つの第１の側辺部及び２つの第２の側辺部とを有する。前記２つの第１の側辺部は、前記容器底部の両側に対称的に配置され、少なくとも１つの接合部及び少なくとも１つの斜め折り畳み部をそれぞれ有するか、或いは、少なくとも１つの接合部または少なくとも１つの斜め折り畳み部をそれぞれ有する。前記２つの第２の側辺部は、前記容器底部の他の両側に対称的に配置され、少なくとも１つの接合部及び少なくとも１つの斜め折り畳み部をそれぞれ有するか、或いは、少なくとも１つの接合部または少なくとも１つの斜め折り畳み部をそれぞれ有する。
【０００９】
又、本考案に係るその他の実施形態では、一枚の薄板からなり、容器蓋部を有する容器本体を含むことを特徴とする木製容器がさらに提供される。すなわち、前記木製容器は、少なくとも、容器底部と、２つの第１の側辺部、２つの第２の側辺部、及び容器蓋部とを有する容器本体を含んでいる。前記２つの第１の側辺部は、前記容器底部の両側に対称的に配置され、少なくとも１つの接合部及び少なくとも１つの斜め折り畳み部をそれぞれ有するか、或いは、少なくとも１つの接合部または少なくとも１つの斜め折り畳み部をそれぞれ有する。又、前記２つの第２の側辺部は、前記容器底部の他の両側に対称的に配置され、少なくとも１つの接合部及び少なくとも１つの斜め折り畳み部をそれぞれ有するか、或いは、少なくとも１つの接合部または少なくとも１つの斜め折り畳み部をそれぞれ有する。
【００１０】
次に、本考案に係る数個の実施例を挙げて、本明細書に添付した図面を参照しながら、本考案の詳細について具体的に説明する。
【図面の簡単な説明】
【００１１】
【図１】図１は、本考案の木製容器に係る第１の実施形態における、一枚の木材薄板からなる容器本体の、各構成部を示す展開図である。
【図２】図２は、図１の容器本体における側辺部を折り畳んで継ぎ合わせた状態を示す模式図である。
【図３】図３は、本考案の木製容器に係る第２の実施形態における、一枚の木材薄板からなる容器本体の、各構成部を示す展開図である。
【図４】図４は、図３の容器本体における側辺部を折り畳んで、継ぎ合わせた状態を示す模式図である。
【図５】図５は、本考案の木製容器に係る第３の実施形態における、一枚の木材薄板からなる容器本体の、各構成部を示す展開図である。
【図６】図６は、図５の容器本体における側辺部を折り畳んで、継ぎ合わせた状態を示す模式図である。
【図７】図７は、本考案の木製容器に係る第４の実施形態における、一枚の木材薄板からなる容器本体の、各構成部を示す展開図である。
【図８】図８は、図７の容器本体における側辺部を折り畳んで、継ぎ合わせた状態を示す模式図である。
【図９】図９は、本考案の木製容器に係る第５の実施形態における、一枚の木材薄板からなる容器本体の、各構成部を示す展開図である。
【図１０】図１０は、図９の容器本体における側辺部を折り畳んで、継ぎ合わせた状態を示す模式図である。
【考案を実施するための形態】
【００１２】
以下に、本考案の木製容器に係る様々な実施の形態、及びその容器本体の具体的な実施例を挙げて説明するが、これらの実施の形態や実施例はすべての点で例示であって、本考案はこれらによって制限されるものではない。又、この技術分野における当業者が、本考案の本質及び範囲を逸脱しないように、実施例に対し、各種の変形、装飾、変更及び等価置換を行い、或いは各実施例を組合せることによって得られた考案が、本考案に包含されることも自明である。
従って容器の表面には、所望に応じて、異なる種類の装飾や図案を施すことも可能である。また、容器の形状は多角形でも良く、円形でも良い。多角形とする場合、各辺の長さが必ず等しいとする必要はなく、高さを短辺または長辺の長さよりも大きくすることも可能である。円形とする場合、径を高さよりも大きくすることも可能である。なお、容器には、必ずしも蓋を設ける必要はない。
【００１３】
本考案に係る第１の実施形態によると、図１に示すように、少なくとも、一枚の木材薄板からなる容器本体１０を含む木製容器が提供される。図１は、本考案に係る第１の実施形態の木製容器における、容器本体の各構成部を示す展開図であり、図面における実線は容器本体１０の輪郭を表し、破線は折れ目を表す。図１に示されるように、この容器本体１０は、少なくとも、容器底部１０１と、２つの第１の側辺部２１０及び２つの第２の側辺部２２０とを有する。ここで、２つの第１の側辺部２１０は容器底部１０１の両側に対称的に配置され、且つ、少なくとも１つの接合部３０１と、少なくとも１つの斜め折り畳み部４０１とをそれぞれ有するか、或いは、少なくとも１つの接合部３０１、又は少なくとも１つの斜め折り畳み部４０１をそれぞれ有する。又、２つの第２の側辺部２２０は、この容器底部１０１の他の両側に対称的に配置され、且つ、少なくとも１つの接合部３０１と、少なくとも１つの斜め折り畳み部４０１とをそれぞれ有するか、或いは、少なくとも１つの接合部３０１、又は少なくとも１つの斜め折り畳み部４０１をそれぞれ有する。
【００１４】
なお、この第１の実施形態における木製容器を構成する容器本体は、第１の側辺部及び第２の側辺部のうち、いずれか２つの隣り合う側辺部における接合部、及び斜め折り畳み部を介して継ぎ合わせることにより、立体形状に作製される。具体的には、例えば、図１の第１の側辺部２１０における斜め折り畳み部４０１を反対に折った後、接着剤で第２の側辺部２２０上の接合部３０１と継ぎ合わせることによって、容器本体１０を作製することができる。従って、容器本体１０は、少なくとも下記（１）、（２）、（３）に示す複数の形で、外観形状を呈することができる。
（１）容器本体１０は一枚の木材薄板からなり、図１に示すように、接合部と斜め折り畳み部とを継ぎ合わせなければ、平面状である。
（２）容器本体１０は、一枚の木材薄板からなり、図２に示すように、接合部と斜め折り畳み部とを単に折り畳めば、継ぎ合わされた平面状となる。したがって、このような形とした容器本体１０は複数重ね合わせることができるので、使用や運送など、現実の作業に非常に便利である。
（３）容器本体１０は、一枚の木材薄板で、接合部と斜め折り畳み部とを折り畳んで継ぎ合わせてから、更に容器本体の側辺を引き離すと、立体形状（図を示せず）を呈することができる。これにより、立体的な容器本体は、入れ物や食品の盛り合わせに対応することが可能である。
【００１５】
また、この第１の実施形態における木製容器は、容器本体の他に、容器本体における各構成部の一部との結合に適応するフィルム層を更に含んでもよい。該フィルム層としては、例えば、用紙、プラスチック材、及びそれらの組合せからなる群の中から選択された少なくとも１つが挙げられるが、これに限定されるものではない。又、前記フィルム層の上表面及び／又は下表面には、例えば、アルミ箔、その他の金属箔、用紙、プラスチック材、及びそれらの組合せからなる群の中から選択された少なくとも１つを更に貼付したものであってもよい。なお、前記フィルム層の上表面及び下表面の両面には、同一の素材、又は異なる素材で貼付したものであってもよい。
一方、本考案に係る後述するその他の実施形態における木製容器には、容器本体の他に、第１の実施形態の場合と同様に、容器本体における各構成部の一部との結合に適応するフィルム層を更に含むことができる。前記フィルム層としては、例えば、用紙、プラスチック材、及びそれらの組合せからなる群の中から選択された少なくとも１つを含むものが挙げられる。また、前記フィルムの上表面及び／又は下表面は、第１の実施形態の場合と同様に、同一の素材、又は異なる素材で貼付したものであってもよい。上記素材としては、例えば、アルミ箔、その他の金属箔、用紙、プラスチック材、及びそれらの組合せからなる群の中から選択された少なくとも１つを更に貼付したものであってもよいが、これに限定されるものではない。
【００１６】
更に、この第１実施形態における容器本体１０は、少なくとも１つの側辺部が強化された構造となってもよく、例えば、側辺本体部２１１、及び側辺補助部２１２を設けた第１の側辺部２１０を有することができる。このように、該側辺本体部２１１及び該側辺補助部２１２を折り畳んで重なり合わせることにより、第１の側辺部２１０を補強することができる。一方、図１に示すように、２つの、第１の側辺部２１０の何れにも、側辺本体部Ｄ６１及び側辺補助部Ｄ６２を設けることができるが、これに限定されるものではない。
次に、図３を参照する。図３は、本考案の木製容器に係る第２の実施形態における、一枚の木材薄板からなる容器本体の各構成部を示す展開図であり、実線は容器本体２０の輪郭、破線は折れ目を示す。第２の実施形態における容器本体２０は、側辺本体部２２１及び側辺補助部２２２を設けた、第２の側辺部２２０を少なくとも１つ有する。このように、前記側辺本体部２２１と側辺補助部２２２を折り畳んで重ね合わせることにより第２の側辺部２２０を補強することができる。又、図３に示すように、容器本体における２つの第１の側辺部２１０には、それぞれ、側辺本体部２１１及び側辺補助部２１２が設けられており、且つ、２つの第２の側辺部２２０にも、それぞれ、側辺本体部２２１及び側辺補助部２２２を設けることができるが、これに限定されるものではない。
このように、一枚の木材薄板からなる、接合部と斜め折り畳み部とを折り畳んで継ぎ合わせた容器本体２０は、  図４に示すように平面形状であって、複数の容器本体２０を重ね合うことが可能になるので、使用や運送などの現実の作業に非常に便利である。一方、２つの第１の側辺部、及び２つの第２の側辺部の内の、少なくともいずれか１つには、側辺本体部及び側辺補助部を設けることができるが、これに限定されるものではない。また、その他の形状にも適宜変化させることができる。
【００１７】
また、本考案に係る木製容器における容器本体の各構成部、例えば、各側辺部、接合部、容器底部などは、本考案の本質及び範囲を逸脱しない限り、必要に応じて、適宜各種の形状にすることができる。本考案に適用する各構成部の形状としては、例えば、長方形、台形、多角形、弧形などが挙げられるが、これに限定されるものではない。
【００１８】
更に、図５、図６を参照する。図５は、本考案の木製容器に係る第３の実施形態における、一枚の木材薄板からなる容器本体の各構成部を示す展開図である。図６は、図５の容器本体における側辺部が折り畳まれて継ぎ合わされた状態を示す模式図である。ここで、実線は容器本体３０の輪郭、破線は折れ目を表す。図５、図６に示すように、本考案の木製容器に係わる第３の実施形態における容器本体３０は、斜角状の外形輪郭を有する構造に構成することができる。容器本体３０における第１の側辺部、第２の側辺部、接合部は、いずれも長方形ではない。このように、容器本体３０は斜角状構造である。又、上記第１及び第２の実施形態の場合と同様に、一枚の木材薄板からなる接合部と斜め折り畳み部とを折り畳んで継ぎ合わせると、容器本体３０は、  図６に示すように平面形状となる。これにより、複数の容器本体３０を重ね合わせることが可能になるので、使用や運送などの現実の作業に非常に便利である。
次に、図７及び図８を参照する。図７は、本考案の木製容器に係る第４の実施形態における、一枚の木材薄板からなる容器本体の各構成部を示す展開図である。図８は、図７の容器本体における側辺部を折り畳んで継ぎ合わせた状態を示す模式図である。ここで、実線は容器本体４０の輪郭、破線は折れ目を表す。本考案の木製容器に係る第４の実施形態における容器本体４０は、図７及び図８に示すように、側辺本体部２１１及び側辺補助部２１２を設けた第１の側辺部２１０を有することができる。又、上記第１、第２及び第３の実施形態の場合と同様に、一枚の木材薄板からなる接合部と斜め折り畳み部とを折り畳んで継ぎ合わせた容器本体４０は、図８に示すように平面形状となる。これにより、複数の容器本体４０を重ね合わせることが可能になるので、使用や運送などの現実の作業に非常に便利である。
【００１９】
また、本考案の木製容器に係る第３の実施形態における容器本体３０の接合部３０１及び斜め折り畳み部４０１は、形状と角度を適切に調整して配置することにより、必要に応じて、直角、鋭角または鈍角の形状になるように形成することができる。例えば、図５、図６に示すように、容器本体におけるいかなる２つの隣接する前側辺部でも、直角、鋭角または鈍角の形状になるように、接合部３０１及び斜め折り畳み部４０１を介して継ぎ合わせることができる。
【００２０】
最後に、図９及び図１０を参照する。図９は、本考案の木製容器に係る第５の実施形態における、一枚の木材薄板からなる容器本体の各構成部を示す展開図である。図１０は、図９の容器本体における側辺部を折り畳んで継ぎ合わせた状態を示す模式図である。ここで、実線は容器本体５０の輪郭、破線は折れ目を表す。本考案の木製容器に係る第５の実施形態における容器本体は、図９及び図１０に示すように、容器蓋部を有する構造の外形にしたものである。図１及び図２に示す第１の実施形態と、図９及び図１０に示す第５の実施形態とはほぼ同じであるが、両方の主な相違点は、図９及び図１０に示す第５の実施形態における容器本体４は、さらに容器蓋部１０２を含むことにある。実際に作製する際には、容器蓋部１０２のいずれか一つの側に、少なくとも１つの側辺部をさらに配置すれば良い。また、さらに、容器蓋部１０２における２つの隣接する側辺部、例えば、第３の側辺部２３０及び第４の側辺部２４０には、接合部３０１及び斜め折り畳み部４０１をさらに配置することができる。これにより、容器蓋部１０２における２つの隣接する側辺部を継ぎ合わることが可能になる。
【００２１】
例えば、図９に示すように、第３の側辺部２３０は、接合部３０１と斜め折り畳み部４０１とを有する。なお、第４の側辺部２４０と第３の側辺部２３０との継ぎ合わせ域（例えば、第３の側辺部２３０の左右両端の領域）を２つの接合部と見なすことができるが、これに限定されるものではない。例えば、他の実施例では、第３の側辺部２３０を容器蓋部１０２の両側に対称的に配置することができ、且つ、それぞれが、少なくとも１つの接合部３０１及び／又は少なくとも１つの斜め折り畳み部４０１を有し、第４の側辺部２４０が容器蓋部１０２の他側に配置され、且つ、少なくとも１つの接合部３０１及び／又は少なくとも１つの斜め折り畳み部４０１を有する。例えば、容器本体５０は、第３の側辺部２３０と第４の側辺部２４０と間にさらに少なくとも１つの接合部３０１と少なくとも１つの斜め折り畳み部４０１を有し、或いは、少なくとも１つの接合部３０１または少なくとも１つの斜め折り畳み部４０１を有する。また、例えば、斜め折り畳み部４０１は、第３の側辺部２３０と第４の側辺部２４０との内のいずれか一つに配置され、接合部３０１は、斜め折り畳み部４０１に、或いは第３の側辺部２３０及び第４の側辺部２４０の内のいずれか一つに接続されたもう一つのものである。
【００２２】
また、この第５の実施形態における容器本体５０は、容器底部１０１の２つの隣接する側辺部が、接合部３０１及び斜め折り畳み部４０１を介して継ぎ合わせることにより、立体形状に形成される。例えば、図９に示すように、第１の側辺部２１０上の斜め折り畳み部４０１が反対に折れた後に、接着剤で第２の側辺部２２０上の接合部３０１と継ぎ合わせることができる。この場合と同様にすると、第３の側辺部２３０及び第４の側辺部２４０を継ぎ合わせることができる。このようにして容器本体５０は、容器本体１０と同様に、少なくとも下記（１）、（２）、（３）に示す複数の外観形状を呈することができる。
（１）容器本体５０は、一枚の木材薄板から作製され、図９に示すように、接合部と斜め折り畳み部とを継ぎ合わせなければ平面形状である。
（２）容器本体５０は、一枚の木材薄板から作製され、図１０に示すように、接合部と斜め折り畳み部とを単に折り畳んで継ぎ合わせても平面形状である。これにより、このような形とした容器本体５０を複数重ね合うことができるので、使用や運送などの実際の作業に非常に便利である。
（３）容器本体５０は、一枚の木材薄板から作製され、接合部と斜め折り畳み部とを折り畳んで継ぎ合わせてから、更に容器本体の側辺を引き離すことにより、立体形状（図示せず）とすることができる。これにより、立体的な容器本体５０は、入れ物や食品の盛り合わせに適宜使用することが可能である。
【００２３】
第５の実施形態に係るその他いくつかの実施例では、容器本体５０の容器蓋部は、２つの第１の側辺部２１０及び２つの第２の側辺部２２０のうち少なくとも両者に配置された複数の容器蓋部により、構成するものであってもよい。例えば、容器蓋部１０２を構成する前記第一容器蓋部、と前記第二容器蓋部を採用することができる。一例として、容器蓋部１０２の代わりに、図９の左側、右側における２つの第２の側辺部には、それぞれ前記第一容器蓋部と前記第二容器蓋部とを配置することにより、容器本体にした場合には、第一容器蓋部と第二容器蓋部で容器蓋部の全体を構成することができる。
【００２４】
また、その他の実施例では、本考案の木製容器に係わる容器本体において、隣り合う側辺部（例えば２１０、２２０、２３０、２４０）のいずれかは、様々の接合部及び／又は様々の斜め折り畳み部を適切に配置することができる。例えば、図１、図３、又は図５に示すように、第１の側辺部２１０と第２の側辺部２２０と間の接合部３０１及び斜め折り畳み部４０１を配置するか、或いは、図７に示すように、第３の側辺部２３０と第４の側辺部２４０と間の接合部３０１及び斜め折り畳み部４０１を配置するか、又は、その他の変化した配置、例えば、側辺部の両端に接合部３０１及び斜め折り畳み部４０１をそれぞれ設置することができる。しかも、同一の容器本体において、同じまたは異なる接合部及び斜め折り畳み部の配置方法を採用することもできる。但し、本考案に係わる容器本体は、この配置に限定されるものではない。
【００２５】
また、本考案に係る前記各実施形態における容器本体として用いられる木材の薄板には、薄板繊維を完全に切断せず、薄板を簡単に折り畳むことができるが破断しないようにする方法によって折れ目を切ることにより、前容器底部、側辺部、接続部、斜め折り畳み部、側辺補助部及び容器蓋部を、それぞれ区分することができる。しかしながら、本考案の容器本体における折れ目の形成は、この製作方法に限定されず、例えば、型抜き、プレス、刃による切断などのいかなる方法であってもよい。
【００２６】
また、実際に作製した幾つかの実施例では、木材の薄板に、隣接し且つ平行な折れ目を繰り返して作製することができ、これが折り畳みに役立つと考えられる。例えば、図１、図３、図５、図７、図９に示すように、容器底部と長手の側辺部との間に、２本又は２本以上の隣り合い且つ平行又はほぼ平行な折れ目を作製すると、第２の側辺部を容器底部に対して折り畳むことに役立つ。２つの平行な折れ目の幅は、例えば、使用される薄板の厚さと等しいか、或いはより小さいか、又はより大きくてもよい。このようにすると、容器本体に各構成部の一部又は全部を折り畳むことがより容易になり、かつ折り畳むことにより容器本体の側辺と容器本体の底部のいずれをも、破壊し難くなる。しかし、本考案の木製容器に係わるいくつかの実施形態においては、折れ目の作製方法はこれに限定されるものではない。
【００２７】
上記した幾つかの実施形態において例示した、複数の実施例に係る本考案の木製容器によれば、従来の木製容器における、外形に不具合があること、丈夫でなく、美しくない、または、重なり合わせることができないという欠点、高いパッケージのコスト、広い倉庫空間を占めるなどのような問題点を改善することができる。又、幅広く使われ、丈夫でおしゃれな木製容器を大量に生産することができる。
【００２８】
また、前記実施例において更に配置された側辺補助部は、容器の側辺部の厚さを増加させることができ、また、４つの側辺部同士の係合により、木製容器の構造の強固性を一層強化することができ、更に、このように強化すると、この木製容器を贈答用ケースとして適用することが可能になる。前記実施例における木製容器は、蓋部を設ける容器を作製することができる。これにより、ユーザーの需要に答える多種類の木製容器を提供することができる。
【００２９】
また、上述したように、本考案によれば、木材の薄板を簡単な方法で継ぎ合わせて所望の形状に成形することができるので、木製容器を紙類のパッケージ容器を作製するように容易に作製することが可能になる他、このような木製容器を使用する際にも非常に簡便である。本考案の木製容器は、一体化の構造である上、多様な外形を持たせることができ、これにより、複数の商品に合わせて、様々な形状やサイズなどを有する多様な容器を提供することができる。
更に、上述したように、容器の作製には、材料を無駄に消費することがないため、環境保護のニーズに合わせることが可能になる上、作製が容易なのでパッケージ材料のコストを下げることができ、更に、運送及び倉庫に保管することも容易である。
本考案によれば、上記実施形態に例示した構造の容器本体を、弁当ケースとして工業的に自動化した機械で迅速に生産することができるので、需要に答えて多量の木製容器を作製することも可能になる。従って、本考案によれば、工程が複雑で工業的に量産することができず、人手によって生産されていたという従来の木製容器の問題点は解決される。換言すれば、本考案により提供される木製容器は、従来技術上の問題点を解決できると共に、低コストで経済的であり、容器市場のニーズに合致するという利点がある。
【００３０】
本考案は、上述したような実施形態に限定されるものではないことは、既に述べた通りである。本考案の精神及び範囲を逸脱しない限り、いずれの当該技術を熟知する当業者であれば、様々な変更や修飾を加えることは当然可能であり、例えば、前記実施例に示された各技術的内容を組合わせ、または変更して新しい実施形態にした、これらの実施形態も、もちろん本考案の範囲に所属するものと見なす。そのため、本考案が保護しようとする範囲も、後述の特許請求の範囲及びその規定範囲に含まれている。
【符号の説明】
【００３１】
１０、２０、３０、４０、５０      容器本体
１０１                            容器底部
１０２                            容器蓋部
２１０                            第１の側辺部
２２０                            第２の側辺部
２３０                            第３の側辺部
２４０                            第４の側辺部
３０１                            接合部
４０１                            斜め折り畳み部
２１１、２２１                    側辺本体部
２１２、２２２                    側辺補助部
【図１】
0003204496.tif 000003
【図２】
0003204496.tif 000004
【図３】
0003204496.tif 000005
【図４】
0003204496.tif 000006
【図５】
0003204496.tif 000007
【図６】
0003204496.tif 000008
【図７】
0003204496.tif 000009
【図８】
0003204496.tif 000010
【図９】
0003204496.tif 000011
【図１０】
0003204496.tif 000012